(57)【特許請求の範囲】
【請求項１】
一つの側面に挿入方向に沿って形成された溝部と上記溝部が形成された側面に沿って移動可能に設けられたシャッタとを有するディスクカートリッジをローディングするディスクカートリッジのローディング装置において、
ディスクカートリッジが挿入され、挿入されたディスクカートリッジを保持し、ディスクカートリッジの挿入又は排出が行われる第１の位置と上記第１の位置より降下した第２の位置との間を移動可能に配設されたホルダと、
上記ホルダに移動可能に設けられ、上記ホルダに挿入されるディスクカートリッジの挿入が完了したときにディスクカートリッジの溝部内に少なくとも一部が挿入され、上記ホルダに挿入されたディスクカートリッジを上記ホルダより排出する方向に付勢されているイジェクトレバーと、
上記ホルダへのディスクカートリッジの挿入が完了した位置で上記イジェクトレバーを保持し、上記ホルダが上記第２の位置から上記第１の位置に移動するときに上記イジェクトレバーの保持を解除する保持機構と
を備えてなるディスクカートリッジのローディング装置。
【請求項２】
上記イジェクトレバーは、上記ホルダに挿入されるディスクカートリッジの溝部に挿入される挿入部と上記ホルダに挿入されるディスクカートリッジと当接する当接部とを備えていることを特徴とする請求の範囲第１項記載のディスクカートリッジのローディング装置。
【請求項３】
上記当接部は、上記挿入部の先端側で、且つ上記ホルダに挿入されるディスクカートリッジの挿入方向前面と当接するように上記挿入部に対してほぼ垂直に形成されていることを特徴とする請求の範囲第２項のディスクカートリッジのローディング装置。
【請求項４】
上記装置は、更に上記イジェクトレバーを上記ホルダに挿入されたディスクカートリッジを上記ホルダより排出する方向に付勢する付勢部材を備えていることを特徴とする請求の範囲第１項記載のディスクカートリッジのローディング装置。
【請求項５】
上記保持機構は、上記ホルダに挿入されたディスクカートリッジによって移動されたイジェクトレバーと係合して上記イジェクトレバーを保持する保持部と上記ホルダを上記第２の位置に保持するロック機構とを備えていることを特徴とする請求の範囲第１項記載のディスクカートリッジのローディング装置。
【請求項６】
上記保持機構は、上記保持部が設けられた保持部材を備えるとともに、上記ロック機構は、上記ホルダが上記第２の位置にあるときに上記保持部材と係合するロック部材とを備えていることを特徴とする請求の範囲第５項記載のディスクカートリッジのローディング装置。
【請求項７】
上記ロック機構は、上記ホルダが上記第２の位置から上記第１の位置に移動されるときに上記保持部により上記イジェクトレバーの保持を解除することを特徴とする請求の範囲第６項記載のディスクカートリッジのローディング装置。
【請求項８】
一つの側面に挿入方向に沿って形成された溝部と上記溝部が形成された側面に沿って移動可能に設けられたシャッタとを有するディスクカートリッジをローディングするディスクカートリッジのローディング装置において、
略々四角形状をなす板状部と上記板状部の対をなす辺に各々形成された一対の側壁部と上記一対の側壁部の各々の先端部に形成された複数の保持片と有するとともに、ディスクカートリッジが挿入され、挿入されたディスクカートリッジを保持し、ディスクカートリッジの挿入又は排出が行われる第１の位置と上記第１の位置よりも降下した第２の位置との間を移動可能に配されたホルダと、
上記ホルダに移動可能に設けられ、上記ホルダに挿入されるディスクカートリッジにより移動操作され、上記ホルダにディスクカートリッジの挿入が完了したときにディスクカートリッジの溝部内に少なくとも一部が挿入されるとともに、上記ホルダに挿入されたディスクカートリッジを上記ホルダより排出する方向に付勢されたイジェクトレバーと、
上記ホルダの上記一対の側壁部のいずれか一方の側壁部に配され、上記ホルダへのディスクカートリッジの挿入が完了した位置で上記イジェクトレバーを保持し、上記ホルダが上記第２の位置から上記第１の位置に移動するときに上記イジェクトレバーの保持を解除する保持機構とを備えることを特徴とするディスクカートリッジのローディング装置。
【請求項９】
上記イジェクトレバーは、上記ホルダの上記一方の側壁部に配されているとともに、上記一方の側壁部に沿って移動する板状の可動部と上記可動部に対して略々垂直に形成され上記ホルダに挿入されるディスクカートリッジの溝部に挿入される挿入部と上記ホルダに挿入されるディスクカートリッジと当接する当接部とを備え、上記ホルダの上記一方の側壁部に移動自在に配されていることを特徴とする請求の範囲第８項のディスクカートリッジのローディング装置。
【請求項１０】
上記当接部は、上記挿入部の先端側で、且つ上記ホルダに挿入されるディスクカートリッジの挿入方向前面と当接するように上記挿入部に対して略々垂直に形成されていることを特徴とする請求の範囲第９項記載のディスクカートリッジのローディング装置。
【請求項１１】
上記当接部は、上記ホルダへのディスクカートリッジの挿入が完了してときに上記ホルダのディスクカートリッジ挿入方向の前方縁部に位置していることを特徴とする請求の範囲第１０項記載のディスクカートリッジのローディング装置。
【請求項１２】
上記装置は、更に上記ホルダの上記一方の側壁部と上記可動部との間に設けられ、上記イジェクトレバーを上記ホルダに挿入されたディスクカートリッジを上記ホルダより排出する方向に付勢する付勢部材を備えていることを特徴とする請求の範囲第９項記載のディスクカートリッジのローディング装置。
【発明の詳細な説明】
技術分野
本発明は、情報信号の記録媒体となる光ディスクや光磁気ディスク等のディスクを収納したディスクカートリッジをローディングするローディング装置に関し、さらに詳しくは、ディスクカートリッジが挿入保持されるホルダを用いてローディングを行うディスクカートリッジのローディング装置に関する。
背景技術
従来、ディスクカートリッジ収納された情報信号の記録媒体となる光ディスクや光磁気ディスク等のディスクを記録媒体に用いるディスク記録及び／又は再生装置が用いられている。
光ディスク又は光磁気ディスクを記録媒体に用いるディスク記録及び／又は再生装置は、ディスクを回転操作するディスク回転操作機構と、このディスク回転操作機構によって回転操作されるディスクに対し情報信号の記録再生を行う光ピックアップ装置及び磁気ヘッドを備えたディスク駆動部が設けられている。
このディスク記録及び／又は再生装置には、ディスク駆動部に対しディスクカートリッジを装脱させるローディング装置が設けられている。
ディスク記録及び／又は再生装置に用いられるローディング装置として、ディスクカートリッジが挿入保持されるホルダを用いたものがある。ローディング装置を構成するホルダは、ディスク駆動部が取り付けられるベースに回動可能に支持されている。そして、ホルダは、ベースへの支持部となる支軸を中心に回動操作され、ディスク駆動部から離間した第１の位置に回動された状態にあるとき、ホルダに対しディスクカートリッジの挿入又は排出が行われる。また、ホルダは、支軸を中心に回動操作され、ディスク駆動部に近接した第２の位置に回動されたとき、このホルダに保持したディスクカートリッジをベース上に構成されたカートリッジ装着部に位置決め装着させ、ディスクカートリッジに収納したディスクをディスク回転操作機構と一体的に回転可能な状態にクランプさせる。ここで、ディスク回転操作機構を駆動させ、ディスクを回転し、光ピックアップ装置及び磁気ヘッドをディスクの径方向に送り操作することによって情報信号の記録及び／又は再生が行われる。
ホルダを備えたローディング装置が設けられたディスク記録及び／又は再生装置には、ホルダが第２の位置から第１の位置側に向かって回動されるとき、ホルダに保持されたディスクカートリッジをホルダから排出するイジェクト機構が設けられている。このイジェクト機構は、ベースに回動可能に支持されたイジェクトレバーとこのイジェクトレバーを回動付勢する引っ張りバネとを備える。イジェクトレバーは、ホルダに挿入されるディスクカートリッジによって引っ張りバネの付勢力に抗して回動され、ディスクカートリッジがホルダへの挿入が完了した位置まで挿入されたとき、ディスクカートリッジに付勢力を与えない位置に保持される。イジェクトレバーを保持する保持機構は、ベースに設けられる。
また、イジェクトレバーは、ホルダが第２の位置から第１の位置側に向かって回動されるとき保持機構による保持が解除され、引っ張りバネの付勢力を受けて回動され、ホルダに保持されたディスクカートリッジを押圧し、このディスクカートリッジをホルダから排出させる。
上述したように、ベースに回動可能に支持されたイジェクトレバーを備えるイジェクト機構は、イジェクトレバーがベース上に構成されたカートリッジ装着部内を回動するため、ローディング装置の更なる薄型化を図ることが困難となっている。
特に、イジェクトレバーとして、ホルダに挿入されるディスクカートリッジの挿入側の前端面を押圧するように構成したものにあっては、確実にディスクカートリッジを押圧するように、ディスクカートリッジの厚さよりやや小さい程度の幅を有する押圧部を設ける必要があり、イジェクトレバー自体が大型化し、ローディング装置の更なる薄型化を図ることが一層困難となる。
また、ディスクカートリッジをカートリッジ装着部に装着したとき、ディスクカートリッジに押圧力を付与しないようにイジェクトレバーを保持するための機構及び保持機構に保持されたイジェクトレバーの保持を解除させるための機構をベースに設ける必要がありローディング装置の構成が複雑となり、ローディング装置及びこのローディング装置を設けたディスク記録及び／又は再生装置の更なる小型化を図ることが困難となってしまっている。
発明の開示
本発明の目的は、上述したようなローディング装置が有する問題点を解消することを可能となす新規なローディング装置を提供することにある。
本発明の他の目的は、ディスクカートリッジの確実なローディング及びイジェクト操作を実現できるローディング装置を提供することにある。
本発明の更に他の目的は、一層の薄型化及び小型化を図り、ディスク記録及び／又は再生装置の薄型化及び小型化に寄与できるローディング装置を提供することにある。
本発明に係るローディング装置は、一つの側面に挿入方向に沿って形成された溝部とこの溝部が形成された側面に沿って移動可能に設けられたシャッタとを有するディスクカートリッジをローディングする。このローディング装置は、ディスクカートリッジが挿入され、挿入されたディスクカートリッジを保持するホルダを備える。このホルダは、ディスクカートリッジの挿入又は排出が行われる第１の位置とこの第１の位置より降下した第２の位置との間を移動可能に配されている。そして、ホルダには、ホルダに挿入されるディスクカートリッジの挿入が完了したときにディスクカートリッジの溝部内に少なくとも一部が挿入されるイジェクトレバーが移動可能に設けられている。このイジェクトレバーは、ホルダに挿入されたディスクカートリッジをホルダより排出する方向に付勢されている。更に、ローディング装置は、ホルダへのディスクカートリッジの挿入が完了した位置でイジェクトレバーを保持し、ホルダが第２の位置から第１の位置に移動するときにイジェクトレバーの保持を解除する保持機構を備える。
ホルダに移動可能に取り付けられるイジェクトレバーは、ホルダに挿入されるディスクカートリッジの溝部に挿入される挿入部とホルダに挿入されるディスクカートリッジと当接する当接部とを備え、当接部がディスクカートリッジに当接することによって、ディスクカートリッジによって押圧操作され、またディスクカートリッジを押圧操作する。この当接部は、挿入部の先端側で、且つホルダに挿入されるディスクカートリッジの挿入方向前面と当接するように挿入部に対してほぼ垂直に形成される。
本発明に係るローディング装置は、更にイジェクトレバーをホルダに挿入されたディスクカートリッジをホルダより排出する方向に付勢する付勢部材を備えている。
ホルダへのディスクカートリッジの挿入が完了した位置でイジェクトレバーを保持する保持機構は、ホルダに挿入されたディスクカートリッジによって移動されたイジェクトレバーと係合し、このイジェクトレバーを保持する保持部とホルダを第２の位置に保持するロック機構とを備えている。
更に保持機構は、イジェクトレバーを保持する保持部が設けられた保持部材を備え、ロック機構は、ホルダが上記第２の位置にあるときに保持部材と係合するロック部材とを備えている。このロック機構は、ホルダが第２の位置から第１の位置に移動されるときに保持部によるイジェクトレバーの保持を解除する。イジェクトレバーは、ロック機構による保持が解除されると、ホルダに保持されたディスクカートリッジをホルダから排出する方向に押圧する。
更にまた、本発明に係るローディング装置は、一つの側面に挿入方向に沿って形成された溝部とこの溝部が形成された側面に沿って移動可能に設けられたシャッタとを有するディスクカートリッジをローディングするものであり、このローディング装置は、このローディング装置は、ディスクカートリッジが挿入され、挿入されたディスクカートリッジを保持するホルダを備える。このホルダは、略々四角形状をなす板状部とこの板状部の対をなす辺に各々形成された一対の側壁部とこれら一対の側壁部の各々の先端部に形成された複数の保持片と有し、ディスクカートリッジの挿入又は排出が行われる第１の位置とこの第１の位置よりも降下した第２の位置との間を移動可能に配されている。ホルダにはイジェクトレバーが移動可能に設けられている。このイジェクトレバーは、ホルダに挿入されるディスクカートリッジにより移動操作され、ホルダにディスクカートリッジの挿入が完了したときにディスクカートリッジの溝部内に少なくとも一部が挿入されるとともに、ホルダに挿入されたディスクカートリッジをホルダより排出する方向に付勢されている。このローディング装置は、ホルダの一対の側壁部のいずれか一方の側壁部に配され、ホルダへのディスクカートリッジの挿入が完了した位置でイジェクトレバーを保持し、ホルダが第２の位置から第１の位置に移動するときにイジェクトレバーの保持を解除する保持機構を備える。
このローディング装置に用いられるイジェクトレバーは、ホルダの一方の側壁部に移動自在に配され、一方の側壁部に沿って移動する板状の可動部とこの可動部に対して略々垂直に形成されホルダに挿入されるディスクカートリッジの溝部に挿入される挿入部とホルダに挿入されるディスクカートリッジと当接する当接部とを備える。
本発明の更に他の目的、本発明によって得られる具体的な利点は、以下に説明される実施例の説明から一層明らかにされるであろう。
【図面の簡単な説明】
図１は、本発明に係るディスクカートリッジのローディング装置によりローディングされる第１のディスクカートリッジを上面側から見た斜視図である。
図２は、第１のディスクカートリッジを下面側から見た斜視図である。
図３は、発明に係るディスクカートリッジのローディング装置によりローディングされる第２のディスクカートリッジを上面側から見た斜視図である。
図４は、第２のディスクカートリッジを下面側から見た斜視図である。
図５は、本発明に係るディスクカートリッジのローディング装置が適用されたディスク記録再生装置を示す概略側面図である。
図６は、本発明に係るディスクカートリッジのローディング装置及びこのローディング装置が適用されたディスク記録再生装置のディスク駆動部を示す分解斜視図である。
図７は、上記ディスク記録再生装置のディスク駆動部を示す平面図である。
図８は、本発明に係るローディング装置を構成するホルダ及び保持機構を示す平面図である。
図９は、ホルダにディスクカートリッジを挿入した状態を示す部分平面図である。
図１０は、ディスクカートリッジを保持することなくホルダを第２の位置に回動させた状態を示す平面図である。
図１１は、ホルダを第１の位置に回動させた状態を示す側面図である。
図１２（Ａ）及び（Ｂ）は、ホルダにディスクカートリッジを挿入させた状態を示す側面図である。
図１３（Ａ）及び（Ｂ）は、ディスクカートリッジをホルダへの挿入完了位置まで挿入し、イジェクトレバーを保持機構に保持させた状態を示す側面図である。
図１４（Ａ）及び（Ｂ）は、ディスクカートリッジを保持したホルダを第２の位置に回動し、ディスクカートリッジのローディングを行った状態を示す側面図である。
図１５は、ホルダを第２の位置から第１位置の位置に向かって回動する途中の状態を示す側面図である。
発明を実施するための最良の形態
以下、本発明に係るディスクカートリッジのローディング装置を、情報信号の再記録を可能となす光磁気ディスクを記録媒体に用いるディスク記録再生装置に適用した例を挙げて説明する。
本発明に係るローディング装置の説明に先立って、このローディング装置によってローディングされるディスクカートリッジを説明する。
本発明に係るローディング装置によってローディングされるディスクカートリッジには、情報信号の再記録を可能とする光磁気ディスク１０１を収納した図１及び図２に示すように構成された第１のディスクカートリッジ１００と、予め情報信号が記録され情報信号の再記録を行うことができない再生専用の光ディスク２０１を収納した図３及び図４に示すように構成された第２のディスクカートリッジ２００がある。
光磁気ディスク１０１を収納した第１のディスクカートリッジ１００は、図１及び図２に示すように、上ハーフ１０２と下ハーフ１０３を突き合わせて結合して形成したカートリッジ本体１０４を有し、このカートリッジ本体１０４内に光磁気ディスク１０１を回転自在に収納している。この光磁気ディスク１０１は、中心部にセンター穴１０５が設けられ、このセンター穴１０５を閉塞するようにして金属板等の磁性材料からなるクランピングプレート１０６が取り付けられている。
カートリッジ本体１０４には、ディスク記録再生装置側に配設されるディスク回転操作機構を構成するディスクテーブルが進入する中央開口部１０７と、光ピックアップ装置が臨む記録再生用開口部１０８と、磁気ヘッドが進入する記録用開口部１０９が設けられている。中央開口部１０７は、図２に示すように、カートリッジ本体１０４の下面側の中央部に設けられ、カートリッジ本体１０４に収納された光磁気ディスク１０１のセンター穴１０５及びセンター穴１０５の周縁を外方に臨ませている。記録再生用開口部１０８は、図２に示すように、カートリッジ本体１０４の下面側に設けられ、記録用開口部１０９は、図１に示すように、カートリッジ本体１０４の上面側に設けられている。これら開口部１０８，１０９は、相対向してセンター穴１０５に近接した位置からカートリッジ本体１０４の一側面１０４ａ側に亘って、カートリッジ本体１０４の左右方向の中央部に位置にして矩形状に形成されている。
カートリッジ本体１０４には、記録再生用開口部１０８及び記録用開口部１０９を開閉するシャッタ部材１１０が移動自在に取り付けられている。シャッタ１１０は、記録再生用開口部１０８及び記録用開口部１０９をそれぞれ開閉する相対向する第１及び第２のシャッタ板１１１，１１２と、これら第１及び第２のシャッタ板１１１，１１２の基板部を連結する連結板１１３とを備え、全体で断面コ字状に形成されている。このシャッタ１１０は、第１及び第２のシャッタ板１１１，１１２によって記録用開口部１０９及び記録再生用開口部１０８を外側から覆うようにして、一側面１０４ａ側から嵌合するようにしてカートリッジ本体１０４に取り付けられる。そして、シャッタ１１０の連結板１１３には、この連結板１１３の一部を切り起こして形成したガイド片１１４が形成されている。このガイド片１１４は、カートリッジ本体１０４の一側面１０４ａに設けられた溝部１１５の係合されている。シャッタ１１０は、ガイド片１１４を溝部１１５にガイドされ、カートリッジ本体１０４の一側面１０４ａに沿って各開口部１０８，１０９を開閉する図１及び図２中矢印Ａ方向及びＢ方向に移動される。また、シャッタ１１０は、各開口部１０８，１０９を閉塞した位置にあるとき、図示しないがカートリッジ本体１０４内に設けられたロック部材にロックされ、各開口部１０８，１０９を閉塞した状態に保持される。
この第１のディスクカートリッジ１００は、シャッタ１１０の移動方向を挿脱方向としてディスク記録再生装置へのローディングが行われる。すなわち、第１のディスクカートリッジ１００は、シャッタ１１０が各開口部１０８，１０９を開放させる図１及び図２中矢印Ａ方向を挿入方向としてディスク記録再生装置への挿入が行われる。したがって、第１のディスクカートリッジ１００は、後述するするように、シャッタ１１０が移動する一側面１０４ａに直交する一方の面である前面１０４ｂを挿入端としてディスクローディング装置のホルダへの挿入が行われる。
ところで、シャッタ１１０は、第１のディスクカートリッジ１００がディスクローディング装置のホルダに挿入される際、カートリッジ本体１０４の一側面１０４ａに設けた溝部１１５に進入するシャッタ開放部材によってロック部材によるロックが解除され各開口部１０８，１０９を開放する図１及び図２中矢印Ａ方向に移動される。
そこで、溝部１１５は、図１及び図２に示すように、第１のディスクカートリッジ１００のホルダへの挿入操作に関連してシャッタ開放部材の挿入を可能となすため、カートリッジ本体１０４の前面１０４ｂ側を開放させて一側面１０４ａに形成されている。
なお、シャッタ１１０の連結板１１３には、第１のディスクカートリッジ１００がホルダに挿入され、シャッタ１１０が各開口部１０８，１０９を開放した位置に移動されたとき、このシャッタ１１０を開放位置に保持する開放保持片が係合する係合孔１１６が穿設されている。
また、カートリッジ本体１０４の下面側には、ディスク記録再生装置側に構成されるカートリッジ装着部に設けた位置決めピンが係合する位置決め孔１１７，１１８が設けられている。これら位置決め孔１１７，１１８は、記録再生用開口部１０８の両側に位置して設けられる。さらに、カートリッジ本体１０４の下面側には、カートリッジ本体１０４に収納されたディスクの種類や仕様を識別する識別部１１９が設けられている。
一方、再生専用の光ディスク２０１を収納した第２のディスクカートリッジ２００は、基本的な構成を第１のディスクカートリッジ１００と共通に構成されているので、第１のディスクカートリッジ１００と共通する部分には、共通の符号を付して詳細な説明は省略する。
第２のディスクカートリッジ２００は、専ら再生専用に用いられるので、情報信号の記録のために用いられる磁気ヘッドが臨む記録用の開口部を設ける必要がない。そこで、上ハーフ２０２と下ハーフ２０３を突き合わせて結合して形成したカートリッジ本体２０４の上面を構成する上ハーフ２０２は、図３に示すように、開口部が設けられることなく平板状の面を有するように形成されている。一方、下ハーフ２０３には、第１のディスクカートリッジ１００と同様に、中央開口部１０７と光ピックアップ装置が臨む再生用開口部２０８が設けられている。
第２のディスクカートリッジ２００は、カートリッジ本体２０４の下面側にのみ開口部２０８が設けられているので、カートリッジ本体２０４に移動自在に取り付けられるシャッタ２１０も、図３及び図４に示すように、カートリッジ本体２０４の下面側に設けた再生用開口部２０８を開閉するシャッタ板２１１のみを備える。このシャッタ２１０は、シャッタ板２１１の基端部に形成した断面コ字状をなす移動ガイド部２１２をカートリッジ本体２０４の一側面に設けた溝部１１５に挿入し、この移動ガイド部２１２によりカートリッジ本体２０４の一側面２０４ａ側を挟持するようにしてカートリッジ本体２０４に移動自在に取り付けられる。
この第２のディスクカートリッジ２００も、第１のディスクカートリッジ１００と同様に、シャッタ２１０が移動する一側面２０４ａに直交する一方の面である前面２０４ｂを挿入端としてディスクローディング装置のホルダへの挿入が行われる。
本発明に係るローディング装置は、上述したようにシャッタ１１０，２１０が移動する方向と平行な方向を挿入方向としてホルダへの挿入が行われる第１又は第２のディスクカートリッジ１００，２００をローディングするものである。
次に、本発明に係るディスクカートリッジのローディング装置をディスク記録再生装置に適用した例を挙げて説明する。
本発明に係るローディング装置が適用されるディスク記録再生装置は、図５に示すように、装置本体を構成する筐体１を備え、この筐体１内に、後述するように構成されるディスク回転操作機構及び情報信号の記録及び／又は再生手段を構成する光ピックアップ装置と磁気ヘッド装置とからなるディスク駆動部が取り付けられるベース２が配設されている。このベース２に上面側には、第１又は第２のディスクカートリッジ１００，２００が装着されるカートリッジ装着部３が構成される。筐体１には、ベース２の上面側を開閉する蓋体４が取り付けられている。この蓋体４は、基端部側の両側を支軸５を介して筐体１の背面側の両側に支持させることにより筐体１に対し回動可能に取り付けられている。そして、蓋体４のベース２と対向する内面側には、カートリッジ装着部３に装着される第１又は第２のディスクカートリッジ１００，２００が挿入保持されるホルダ６が配設されている。このホルダ６は、本発明に係るローディング装置を構成するものであって、蓋体４と同期して回動するようにベース２に回動可能に取り付けられる。
また、筐体１内には、図示しないが、ディスク駆動部の駆動を制御する制御回路や光磁気ディスク１０１に記録される情報信号や光磁気ディスク１０１又は光ディスク２０１から読み出された情報信号を処理する記録再生回路等が構成されたプリント配線基板が配設されている。そして、蓋体４には、このディスク記録再生装置の操作モードを選択する記録釦、再生釦、順方向トラックジャンプ釦、逆方向トラックジャンプ釦、一時停止釦、ストップ釦、ボリューム調節釦等が設けられている。また、蓋体１には、液晶表示デバイスを用いた表示部が設けられている。この表示部には、ディスク記録再生装置の操作モードに関連した種々の情報が表示される。
次に、ベース２に取り付けられるディスク駆動部と、ベース２上に構成されたカートリッジ装着部３に第１又は第２のディスクカートリッジ１００，２００をローディングし、これらディスクカートリッジ１００，２００に収納された光磁気ディスク１０１又は２０１に対し情報信号の記録及び／又は再生を可能な状態となすローディング装置を具体的に説明する。
ディスク駆動部が取り付けられて筐体１内に配設されるベース２は、図６及び図７に示すように、金属板を用いて矩形状に形成されている。ベース２の中央部には、カートリッジ装着部３に装着された第１又は第２のディスクカートリッジ１００，２００に収納された光磁気ディスク１０１又は光ディスク２０１を回転操作するディスク回転操作機構７が配設されている。このディスク回転操作機構７は、スピンドルモータ８とこのスピンドルモータ８によって回転されるディスクテーブル９とを備える。スピンドルモータ８は、スピンドル軸１０をカートリッジ装着部３が構成されたベース２の上面側に突出させてベース２の下面側に取り付けられている。ディスクテーブル９は、スピンドル軸１０の先端側に、このスピンドル軸１０と一体に回転するように取り付けられている。このディスクテーブル９に中心部は、光磁気ディスク１０１又は光ディスク２０１が芯出しを図ってディスクテーブル９上に装着されるように、光磁気ディスク１０１又は光ディスク２０１のセンター穴１０５に係合するセンタリング部材１１が設けられている。また、ディスクテーブル９には、クランピングプレート１０６を磁気吸引して光磁気ディスク１０１又は光ディスク２０１をディスクテーブル９と一体に回転するようにクランプするマグネットが設けられている。
また、ベース２には、図６及び図７に示すように、ディスクテーブル９にクランプされ、ディスク回転操作機構７によって回転操作される光磁気ディスク１０１又は光ディスク２０１に対し情報信号の記録又は再生を行う記録再生手段を構成する光ピックアップ装置１２が取り付けられている。
光ピックアップ装置１２は、光ビームを出射する半導体レーザと、半導体レーザから出射された光ビームを光磁気ディスク１０１又は光ディスク２０１に収束して照射する対物レンズ１３と、光磁気ディスク１０１又は光ディスク２０１から反射される戻り光を検出して情報信号や制御信号を検出するフォトディテクタ等を主たる構成要素として構成されている。
光ピックアップ装置１２は、図７に示すように、ベース２の下面側に互いに平行に取り付けられた一対のガイド軸１４，１５に両側を支持され、ディスクテーブル９上に載置された光磁気ディスク１０１又は光ディスク２０１の径方向に移動可能に支持されている。このとき、対物レンズ１３は、切り欠き部１６を介してベース２の上面側に臨みディスクテーブル９上の光磁気ディスク１０１又は光ディスク２０１に対向する。そして、光ピックアップ装置１２は、ベース２の下面側に取り付けられた送りモータ１７によって回転される送りネジ１８によって、ガイド軸１４，１５にガイドされてディスクテーブル９上の光磁気ディスク１０１又は光ディスク２０１の径方向に送り操作される。送りネジ１８は、ガイド軸１４，１５と平行にベース２に取り付けられ、送りモータ１７の出力軸１７ａに取り付けられた駆動ギヤ１９，減速ギヤ機構２０及び連結ギヤ２１を介して送りモータ１７に連結されている。
ベース２には、送りモータ１７によって送り操作される光ピックアップ装置１２が初期位置に至ったことを検出する初期位置検出スイッチ２２が設けられている。この初期位置検出スイッチ２２は、光ピックアップ装置１２がディスクテーブル９上の光磁気ディスク１０１又は光ディスク２０１の最内周側の初期位置に送り操作されたとき、送りモータ１７の駆動を一旦停止させ、その後ディスク記録再生装置の操作モードに応じて光ピックアップ装置１２を光磁気ディスク１０１又は光ディスク２０１の最内周側から外周側に向かって送り操作するように送りモータ１７の駆動を制御する。初期値検出スイッチ２２は、光ピックアップ装置１２がディスクテーブル９上の光磁気ディスク１０１又は光ディスク２０１の最内周側の初期位置に送り操作されたことを検出するため、図７に示すように、スピンドルモータ８に近接した位置に設けられている。
送りモータ１７によって送り操作される光ピックアップ装置１２には、この光ピックアップ装置１２と共同して光磁気ディスク１０１に対し情報信号の記録を行う磁気ヘッド２３が連結されている。この磁気ヘッド２３は、光ピックアップ装置１２と同期して移動するように、図６に示すように、光ピックアップ装置１２に連結された連結アーム２４の先端側に支軸２５を介して回動可能に支持されたヘッド支持アーム２６の先端側に取り付けられている。
連結アーム２４は、略Ｌ字状に形成され、先端部側がベース２の上面側に突出するようにして基端部側を光ピックアップ装置１２に固定して取り付けられている。そして、ヘッド支持アーム２６は、基端部を支軸２５を介して連結アーム２４の先端側に支持され、ベース２の上面側に延長され、このヘッド支持アーム２６の先端に取り付けたれた磁気ヘッド２３を光ピックアップ装置１２の対物レンズ１３と対向させている。磁気ヘッド２３は、ヘッド支持アーム２６が支軸２５を中心にして回動されることにより、ディスクテーブル９にクランプされた光磁気ディスク１０１又は光ディスク２０１に対し近接離間される。なお、ヘッド支持アーム２６は、蓋体４の回動に連動して支軸２５を中心に回動され、蓋体４が開蓋されたとき、磁気ヘッド２３をベース２から離間した位置に移動させる。
上述のようにベース２にディスク回転操作機構７、光ピックアップ装置１２及び磁気ヘッド２３を組み込んで構成されたディスク駆動部は、光磁気ディスク１０１又は光ディスク２０１をディスクテーブル９にクランプして回転操作し、この回転操作される光磁気ディスク１０１又は光ディスク２０１の信号記録面を送りモータ１７によって送り操作される光ピックアップ装置１２から出射される光ビームによって走査することによって、光磁気ディスク１０１又は光ディスク２０１に記録された情報信号の再生を行う。このとき、磁気ヘッド２３は、ヘッド支持アーム２６が支軸２５を中心に回動され、光磁気ディスク１０１又は光ディスク２０１から離間した位置に保持される。
また、ディスクテーブル９にクランプされて回転操作される光磁気ディスク１０１又は光ディスク２０１に光ピックアップ装置１２から光ビームを照射するとともに、磁気ヘッド２３を支軸２５を中心にヘッド支持アーム２６を回動して磁気ヘッド２３を光磁気ディスク１０１に近接させ、磁気ヘッド２３を介して記録すべき情報信号に応じて外部磁界を印可することによって、光磁気ディスク１０１への情報信号の記録が行われる。
ディスク駆動部が組み込まれたベース２の上面側には、ディスクテーブル９にクランプされ、ディスク回転操作機構７によって回転操作される光磁気ディスク１０１を収納した第１のディスクカートリッジ１００又は光ディスク２０１を収納した第２のディスクカートリッジ２００が装着されるカートリッジ装着部３が構成される。このカートリッジ装着部３には、図６に示すように、このディスク記録再生装置に装着される第１又は第２のディスクカートリッジ１００，２００の装着位置を位置決めする一対の位置決めピン２７，２７及び高さ位置決め突部２８，２８が設けられている。そして、第１又は第２のディスクカートリッジ１００，２００は、位置決め孔１１７，１１８に位置決めピン２７，２７が係合し、高さ位置決め突部２８，２８によって下面側が支持されることにより、水平方向及び高さ方向に位置決めが図られてカートリッジ装着部３に装着される。
なお、一方の位置決め突部２８の中心部には、カートリッジ装着部３に第１又は第２のディスクカートリッジ１００，２００が装着されたことを検出するカートリッジ装着検出スイッチ３０が設けられている。このカートリッジ装着検出スイッチ３０は、カートリッジ装着部３に第１又は第２のディスクカートリッジ１００，２００が装着されたとき、カートリッジ本体１０４，２０４の下面によって操作子が押圧操作されることによりディスクカートリッジ１００，２００の装着を検出する。また、ベース２の上面側であって、カートリッジ装着検出スイッチ３０の近傍に位置して、図７に示すように、カートリッジ装着部３に装着された第１又は第２のディスクカートリッジ１００，２００に設けた識別部１１９を検出し、装着されたディスクカートリッジの種類やこのディスクカートリッジに収納されたディスクの仕様を検出するディスクカートリッジの種類判別スイッチ３１，３２が設けられている。
次に、ベース２の上面側に構成されたカートリッジ装着部３に第１又は第２のディスクカートリッジ１００，２００を装着させる本発明に係るローディング装置を説明する。
本発明に係るローディング装置は、カートリッジ装着部３に装着される第１又は第２のディスクカートリッジ１００，２００が挿入保持されるホルダ６を備えている。このホルダ６は、図５に示すように、蓋体４のベース２と対向する内面側に配置されてなるものであって、図６及び図８に示すように、略々四角形状をなす板状部３３を有し、この板状部３３の対をなす相対向する辺に、挿入される第１又は第２のディスクカートリッジ１００，２００の相対向する両側を支持する一対のカートリッジ支持部３４，３５が設けている。これらのカートリッジ支持３４，３５は、板状部３３の両側に垂下するように形成した側壁部３６，３７と、これら側壁部３６，３７の先端側を板状部３３と略々平行に折り曲げて形成したカートリッジ支持片３８，３９とから構成されて、全体で断面コ字状をなすように形成されている。そして、ホルダ６は、板状部３３のカートリッジ支持部３４，３５が設けられた辺に直交する辺側である前面側の開放された部分をカートリッジ挿脱口４０としている。
なお、ホルダ６は、金属板を打ち抜き折り曲げることによって形成される。
そして、第１又は第２のディスクカートリッジ１００，２００は、前面１０４ｂ、２０４ｂを挿入端として、カートリッジ挿脱口４０を介して一対のカートリッジ支持部３４，３５間に挿入されていく。第１又は第２のディスクカートリッジ１００，２００は、ホルダ６に対し挿入が完了する位置まで挿入され保持されたとき、カートリッジ本体１０４，２０４の下面側に設けた中央開口部１０７，記録再生用開口部１０８又は再生用開口部２０８、位置決め孔１１７，１１８、識別部１１９が、一対のカートリッジ支持部３４，３５間の空間を介してカートリッジ装着部３に対向する。
このように第１又は第２のディスクカートリッジ１００，２００が挿入保持されるホルダ６の一方の側壁部３６の中途部には、ホルダ６の内方に向かってシャッタ開放操作片４１が突設されている。このシャッタ開放操作片４１は、ホルダ６に第１又は第２のディスクカートリッジ１００，２００が挿入されるとき、カートリッジ本体１０４，２０４の一方の側面１０４ａ，２０４ａに設けた溝部１１５に進入し、ロック部材を押圧操作してシャッタ１１０，２１０のロックを解除させるとともに、このシャッタ１１０，２１０に当接し挿入操作されるカートリッジ本体１０４，２０４に対し相対移動させ、各開口部１０８，１０９，２０８を開放させる。
する。
さらに、一方の側壁部３６には、このホルダ６に挿入された第１又は第２のディスクカートリッジ１００，２００のシャッタ１１０，２１０に設けた係合孔１１６に係合し、シャッタ１１０，２１０を開放位置に保持するシャッタ保持部材４２が取り付けられている。このシャッタ保持部材４２は、弾性変位可能な板バネによって形成され、図６及び図８に示すように、先端側にシャッタ１１０，２１０に設けた係合孔１１６に係合する係合突部４２ａを設け、この係合突部４２ａをホルダ６の内方に突出させ、基端部側を一方の側壁部３６に固定して取り付けられている。シャッタ保持部材４２は、係合突部４２ａをシャッタ開放操作片４１が設けられる位置よりカートリッジ挿脱口４０側に位置させて一方の側壁部３６に取り付けられている。
シャッタ保持部材４２は、ホルダ６に挿入された第１又は第２のディスクカートリッジ１００，２００のシャッタ１１０，２１０を開放位置に保持しているので、ディスクカートリッジ１００又は２００がホルダ６からイジェクトされるとき、シャッタ１１０，２１０をカートリッジ本体１０４，２０４に対し相対移動させ、各開口部１０８，１０９，２０８を閉塞した位置に移動させる。
また、ホルダ６の板状部３３には、このホルダ６に挿入された第１又は第２のディスクカートリッジ１００，２００を押圧支持し、ホルダ６内に保持する一対の押圧バネ４３，４４が取り付けられている。これら押圧バネ４３，４４は、図６及び図８に示すように、カートリッジ挿脱口４０が設けられる前面側と対向する板状部３３の基端部側の両側に位置して取り付けられている。各押圧バネ４３，４４は、先端側に形成した突出部４３ａ，４４ａを板状部３３に設けた切り欠き部４５，４６を介してホルダ６内に突出させて板状部３３の上面側に取り付けられている。
これら押圧バネ４３，４４は、ホルダ６に挿入された第１又は第２のディスクカートリッジ１００，２００の上面側を押圧し、これら第１又は第２のディスクカートリッジ１００，２００をカセット装着部３に設けられた位置決めピン２７，２７及び高さ位置決めピン２８，２８に圧接させる。
ホルダ６のカートリッジ挿脱口４０が設けられた前面側と対向する基端側の両側には、図６及び図８に示すように、このホルダ６をベース２に回動可能に支持させるための支軸４７及び支軸挿通孔４８が設けられている。支軸挿通孔４８は、一方の側壁部３６の基端部側に穿設され、支軸４７は、他方の側壁部３７の基端部側に位置してホルダ６の内方に向かって突設されている。そして、ホルダ６は、ベース２の背面側の一方の側に設けた第１の回動支持板４９に設けた支軸５０に軸挿通孔４８を挿通し、他方の側に設けた第２の回動支持板５１に穿設した軸挿通孔５２に支軸４７を挿通させることにより、支軸４７，５０を中心にして回動可能に支持される。すなわち、ホルダ６は、図５に示すように、支軸４７，５０を中心にして、カートリッジ装着部３から離間した位置であって第１又は第２のディスクカートリッジ１００，２００の挿入又は排出が行われる第１の位置と、第１の位置より降下した位置であって、このホルダ６に挿入保持された第１又は第２のディスクカートリッジ１００，２００をカセット装着部３に装着させる第２の位置との間の亘る矢印Ｃ方向及び矢印Ｄ方向に回動可能に支持される。
そして、蓋体４の内面側に配設されたホルダ６は、カートリッジ挿脱口４０が構成された前面側の両側に設けた係合片５３，５４を蓋体４に設けた係合支持片５５に係合させることにより、蓋体４の回動に同期して回動される。すなわち、ホルダ６は、蓋体４が図５中矢印Ｃ方向又は矢印Ｄ方向に回動されることにより、蓋体４とともに第１の位置と第２の位置との間に亘って回動される。
なお、ホルダ６の板状部３３には、ホルダ６上に延在されるヘッド支持アーム２６の先端に取り付けた磁気ヘッド２３をホルダ６内に進入させる開口部５６が設けられている。ヘッド支持アーム２６は、ホルダ６の上面側に延在されることにより、ホルダ６の回動に連動して支軸２５を中心に回動される。
そして、ホルダ６には、図６に示すように、このホルダ６に挿入保持された第１又は第２のディスクカートリッジ１００，２００を排出させるイジェクトレバー６２が設けられている。
また、ホルダ６とベース２との間には、ホルダ６に挿入される第１又は第２のディスクカートリッジ１００，２００によって移動操作されたイジェクトレバー６２を保持するとともに、第１又は第２のディスクカートリッジ１００，２００をカートリッジ装着部３に装着させた第２の位置に回動されたホルダ６を第２の位置にロックする保持機構６３が設けられている。この保持機構６３は、ホルダ６が支軸４７，５０を中心にして、第２の位置から第１の位置側に向かう図５中矢印Ｄ方向に回動されるとき、ホルダ６のロックを解除するするとともにイジェクトレバー６２の保持を解除させる。すなわち、保持機構６３は、イジェクトレバー６２を保持する保持部材６４と、ホルダ６が第２の位置にあるときに保持部材６４と係合しホルダ６を第２の位置にロックするロック機構を構成するロック部材６５とを備える。保持部材６４は、図６に示すように、ホルダ６に取り付けられ、ロック部材６５は、図６に示すように、ベース２に取り付けられる。
ホルダ６に挿入保持された第１又は第２のディスクカートリッジ１００，２００をホルダ６から排出操作するイジェクトレバー６２は、イジェクトレバー６２は、図６に示すように、ホルダ６に挿入される第１又は第２のディスクカートリッジ１００，２００の一側面１０４ａ，２０４ａに形成した溝部１１５に挿入される挿入片６６と、ホルダ６に挿入される第１又は第２のディスクカートリッジ１００，２００の挿入端側となる前面１０４ｂ，２０４ｂと当接する当接片６７を備える。挿入片６６は、レバー本体６８の一側をＬ字状に折り返して形成され、当接片６７は、レバー本体６８の先端側をＬ字状に折り返して形成されている。このイジェクトレバー６２は、図９に示すように、ホルダ６の一方の側壁部３６に設けた図示しない切り欠き穴を介して挿入片６６及び当接片６７をホルダ６内に挿入して一方の側壁部３６の外側面側に配設される。このときイジェクトレバー６２は、図１０に示すように、レバー本体６８に設けたこのレバー本体６８の長手方向を長径とした一対の長孔６９，６９を一方の側壁部３６の外側面に突設した一対の支持ピン７０，７０に挿通することによって、長孔６９，６９の範囲で支持ピン７０，７０にガイドされて図１０中矢印Ｅ方向及び矢印Ｆ方向に移動可能に取り付けられる。
そして、イジェクトレバー６２は、レバー本体６８の中途部に設けたバネ係止片７１とホルダ６の一方の側壁部３６に設けたバネ係止片７２との間に張設された引っ張りバネ７３によって、図１０中矢印Ｅ方向のホルダ６のカートリッジ挿脱口４０側に付勢されている。このとき、イジェクトレバー６２に設けた挿入片６６は、ホルダ６に設けたシャッタ開放操作片４１より後方側に位置されている。なお、挿入片６６は、シャッタ開放操作片４１の突出量とほぼ等しい突出量をもってホルダ６の内方に突出している。
さらに、イジェクトレバー６２のレバー本体６８には、保持部材６４に設けた保持部となる保持片７４に係合する係合片７５が設けられている。
上述のようにホルダ６に取り付けられたイジェクトレバー６２は、第１又は第２のディスクカートリッジ１００，２００がカートリッジ挿脱口４０を介してホルダ６内に挿入されると、このディスクカートリッジ１００，２００の前面１０４ｂ，２０４ｂによって当接片６７が押圧され、引っ張りバネ７３の付勢力に抗して図１０中矢印Ｆ方向のホルダ６の後方に移動される。そして、イジェクトレバー６２は、第１又は第２のディスクカートリッジ１００，２００がホルダ６に対する挿入完了位置まで挿入されると、係合片７５が保持部材６４の保持片７４に係合され、ディスクカートリッジ１００，２００に対し引っ張りバネ７３の付勢力を付与しない状態に保持される。
ホルダ６に挿入された第１又は第２のディスクカートリッジ１００，２００によって移動操作されたイジェクトレバー６２を保持する保持部材６４は、図６に示すように、ホルダ６の板状部３３に取り付けられているホルダ６に挿入保持された第１又は第２のディスクカートリッジ１００，２００を押圧支持する一方の押圧バネ４３に連接されている。すなわち、保持部材６４は、板バネを用いて押圧バネ４３と一体に形成されている。
保持部材６４は、押圧バネ４３との連接部側には、図６及び図１０に示すように、押圧バネ４３に直交するように折り曲げられた取付け片７６が設けられ、この取付け片７６に直交するように折り曲げられた弾性変位片７７が設けられている。この弾性変位片７７の先端側には、図１０に示すように、イジェクトレバー６２に設けたの係合片７５と相対係合する保持片７４が設けられ、この保持片７４の一端から垂下するようにベース２側に取り付けたロック部材６５に設けたロック爪７８に係合する係合片７９が設けられている。
そして、保持部材６４は、図１０に示すように、弾性変位片７７がホルダ６に対する第１又は第２のディスクカートリッジ１００，２００の挿脱方向と直交する方向の図１０中矢印Ｇ方向及び矢印Ｈ方向に弾性変位するように取付け片７６をホルダ６の一方の側壁部３６の外側に固定してホルダ６に取り付けられる。
ところで、保持片７４の先端側には、イジェクトレバー６２の係合片７５が保持片７４に係合していくとき、係合片７５が乗り上げていき弾性変位片７７を図１０中矢印Ｇ方向に弾性変位させる傾斜面７４ａが形成されている。
また、ホルダ６の一方の側壁部３６には、保持部材６４の保持片７４の先端側に当接して、保持部材６４の図１０中矢印Ｈ方向への弾性変位を規制する規制片８１が設けられている。
そして、ホルダ６を第２の位置にロックするロック機構を構成するロック部材６５は、図６及び図１０に示すように、略Ｕ字状に折り曲げた弾性変位部８２を有し、この弾性変位部８２を構成する相対向する一対の片８２ａ，８２ｂのうちの一方の片８２ａの基端部側に取付け片８３が設けられ、他方の片８２ｂの先端側にベース２への係止片８４が設けられている。他方の片８２ｂの中途部には、外側に向かってロック爪７８が形成されている。このロック爪７８は、他方の片８２ｂの中途部を切り起こし断面三角形状に折り曲げて形成されている。ロック部材６５は、ロック爪７８のホルダ６に取り付けた保持部材６４に対向させ、係止片８４をベース２に穿設した係合孔８５に挿通してベース２の下面側に係止させるようにしてベース２の上面側に配設され、取付け片８３を固定ネジ８６により固定されてベース２に取り付けられる。
このようにベース２に取り付けられたロック部材６５は、ホルダ６が図１０又は図１４に示すようにカートリッジ装着部３側に近接した第２の位置に回動されているとき、保持部材６４に設けた係合片７９をロック爪７８に係合させることによって第２の位置に保持する。
上述のように構成されたディスクカートリッジのローディング装置を備えたディスク記録再生装置に第１又は第２のディスクカートリッジ１００，２００をローディングする状態を説明する。
本発明が適用されたディスク記録再生装置は、ホルダ６に第１又は第２のディスクカートリッジ１００，２００のいずれもが挿入されることなく、蓋体４が図５中矢印Ｃ方向に回動され、この蓋体４とともにホルダ６がカートリッジ装着部３に近接した図１０に示す第２の位置に回動された状態にあるときには、カートリッジ装着検出スイッチ３０によるディスクカートリッジ１００，２００の検出が行われることがないので、ディスク駆動部の駆動が規制される。すなわち、このディスク記録再生装置は、第１又は第２のディスクカートリッジ１００，２００がホルダ６に挿入されることなく蓋体４が閉じられても、情報信号の記録及び／又は再生の操作モードへの入力が規制される。
そして、ホルダ６に第１又は第２の第２のディスクカートリッジ１００，２００が挿入されていない状態にあるとき、イジェクトレバー６２は、引っ張りバネ７３の付勢力を受けて図１０中矢印Ｅ方向に移動され、カートリッジ挿脱口４０に近接した側に位置される。また、ホルダ６は、第２の位置に回動された状態にあるとき、上述したように、保持部材６４に設けた係合片７９がロック爪７８に係合し第２の位置に保持されている。したがって、ホルダ６の不用意な回動操作が規制された状態におかれる。
そして、ベース２上のカートリッジ装着部３に装着させるには、ホルダ６を蓋体４とともに支軸４７，５０を中心に図５及び図１０中矢印Ｄ方向のカートリッジ装着部３から離間した図１１に示す第１の位置側に回動させ、カートリッジ挿脱口４０が外方に臨むようになす。ホルダ６が図１０中矢印Ｄ方向に回動されるとき、ロック爪７８に係合された保持部材６４側の係合片７９によってロック部材６５の弾性変位部８２が図１１中矢印Ｊ方向に弾性変位され、ロック部材６５によりホルダ６の解除される。
カートリッジ挿脱口４０を外方に臨ませた状態で、第１又は第２のディスクカートリッジ１００，２００を前面１０４ｂ，２０４ｂ側を挿入端としてカートリッジ挿脱口４０を介してホルダ６内に挿入していく。このとき、第１又は第２のディスクカートリッジ１００，２００は、シャッタ保持部材４２を図９中矢印Ｋ方向のホルダ６の外方に向かう方向に弾性変位させてホルダ６に挿入され、さらにホルダ６内に挿入されると、シャッタ開放操作片４１がカートリッジ本体１０４，２０４の一方の側面１０４ｂ，２０４ｂに設けた溝部１１５に進入し、ロック部材を押圧操作してシャッタ１１０，２１０のロックを解除する。このとき、シャッタ保持部材４２が係合孔１１６に係合し、シャッタ１１０，２１０の移動を規制する。ここから第１又は第２のディスクカートリッジ１００，２００をホルダ６の内方にさらに挿入していくと、シャッタ１１０，２１０はカートリッジ本体１０４，２０４に対し相対的に図１、図２及び図４中矢印Ａ方向に移動され、各開口部１０８，１０９，２０８を開放した位置に移動される。
シャッタ１１０，２１０が各開口部１０８，１０９，２０８を開放する位置まで第１又は第２のディスクカートリッジ１００，２００がホルダ６に挿入されていると、イジェクトレバー６２に設けた挿入片６６がカートリッジ本体１０４，２０４に設けた溝部１１５に進入する。さらに第１又は第２のディスクカートリッジ１００，２００をホルダ６内に挿入すると、図１２（Ａ）及び（Ｂ）に示すように、カートリッジ本体１０４，２０４の前面１０４ｂ，２０４ｂがイジェクトレバー６２の先端に設けた当接片６７に当接する。
ここからさらに第１又はは第２のディスクカートリッジ１００，２００をホルダ６内方の図１２（Ｂ）中矢印Ｌ方向に挿入すると、イジェクトレバー６２は、当接片６７が第１又は第２のディスクカートリッジ１００，２００によって押圧されることにより、ホルダ６の側壁部３６に植立した支持ピン７０，７０に長孔６９，６９がガイドされ、引っ張りバネ７３の付勢力に抗して図１２（Ｂ）中矢印Ｌ方向に移動される。
そして、当接片６７がカートリッジ本体１０４，２０４の前面１０４ｂ，２０４ｂに当接された状態でさらに第１又は第２のディスクカートリッジ１００，２００をホルダ６の内方に挿入していくと、イジェクトレバー６２は第１又は第２のディスクカートリッジ１００，２００と一体に、引っ張りバネ７３の付勢力に抗して、図１２（Ｂ）中矢印Ｌ方向に移動され、係合片７５が保持片７４の傾斜面７４ａに乗り上げていき、弾性変位片７７を弾性変位させ、保持片７４を図１２（Ａ）中矢印Ｇ方向に変位させる。第１又は第２のディスクカートリッジ１００，２００がホルダ６の内方に挿入され、ホルダ６に対する挿入が完了した位置まで挿入されると、係合片７５と保持片７４の当接が解除されて弾性変位片７７が弾性復帰され、保持片７４が図１３（Ａ）中矢印Ｈ方向に移動し、係合片７５と保持片７４とが相対係合される。
イジェクトレバー６２は、第１又は第２のディスクカートリッジ１００，２００に押圧されて移動されるとき、挿入片６６が溝部１１５に挿入されているので、回動変位等されることなく第１又は第２のディスクカートリッジ１００，２００と一体に引っ張りバネ７３の付勢力に抗して第１又は第２のディスクカートリッジ１００，２００のホルダ６への挿入方向に確実に移動される。
第１又は第２のディスクカートリッジ１００，２００が、図１３（Ｂ）に示すように、ホルダ６への挿入が完了した位置まで挿入されると、イジェクトレバー６２は保持部材６４の保持片７４に係合片７５が係合され、ホルダ６に挿入された第１又は第２のディスクカートリッジ１００，２００に負荷を与えることなく引っ張りバネ７３を伸長させた状態で保持される。
次に、ホルダ６に挿入保持された第１又は第２のディスクカートリッジ１００，２００をベース２上のカートリッジ装着部３に装着させる操作を行う。
第１又は第２のディスクカートリッジ１００，２００をカートリッジ装着部３に装着させるためには、図１３（Ａ）及び（Ｂ）に示すように、第１又は第２のディスクカートリッジ１００，２００をホルダ６に対し挿入が完了した位置まで挿入し、イジェクトレバー６２を保持部材６４に保持させた後、蓋体４とともにホルダ６を支軸４７，５０を中心に図５及び図１３（Ａ）中矢印Ｃ方向に回動させる。ホルダ６がカートリッジが装着部３に近接する第２の位置側に回動されていくと、保持部材６４に設けた係合片７９がロック部材６５のロック爪７８を押圧し、弾性変位部８２を図１３（Ａ）中矢印Ｊ方向に弾性変位させる。ホルダ６が、さらに図１３（Ａ）中矢印Ｃ方向に回動され、カートリッジ装着部３に近接しこのカートリッジ装着部３と平行となる図１４（Ａ）に示す第２の位置まで回動されると、弾性変位部８２が図１４（Ａ）矢印Ｍ方向に弾性復帰することにより係合片７９がロック爪７８に係合する。そして、ホルダ６は、ロック部材６５により第２の位置にロックされる。このとき、イジェクトレバー６２は、図１４（Ｂ）に示すように、保持部材６４の保持片７４に保持されているので、引っ張りバネ７３に弾性復帰力を蓄積させた状態で、当接片６７を、ホルダ６に保持された第１又は第２のディスクカートリッジ１００，２００の前面１０４ｂ，２０４ｂに対向させた状態で保持されている。
ホルダ６が第２の位置まで回動されると、このホルダ６に保持された第１又は第２のディスクカートリッジ１００，２００は、カートリッジ装着部３に設けた位置決めピン２７，２７に位置決め孔１１７，１１８を係合させるとともに高さ位置決めピン２８，２８によって下面側を支持されることにより水平方向及び高さ方向の位置決めが図られてカートリッジ装着部３に装着される。このとき、第１又は第２のディスクカートリッジ１００，２００に収納された光磁気ディスク１０１又は光ディスク２０１は、ディスクテーブル９上に芯出しが図られてこのディスクテーブル９と一体に回転するようにクランプされ、第１又は第２のディスクカートリッジ１００，２００のローディングが完了する。
第１又は第２のディスクカートリッジ１００，２００がカートリッジ装着部３に装着された後、ディスク駆動部を駆動させることにより、ディスクテーブル９にクランプされた光磁気ディスク１０１又は光ディスク２０１に対し情報信号の記録又は再生が行われる。
光磁気ディスク１０１又は光ディスク２０１に対する情報信号の記録又は再生が完了した後、ホルダ６に保持された第１又は第２のディスクカートリッジ１００，２００を取り出すには、図１４（Ａ）に示すように第２の位置にロックされているホルダ６を蓋体４とともに支軸４７，５０を中心に図５及び図１４（Ａ）中矢印Ｄ方向に回動する。ホルダ６が第２の位置から図１４（Ａ）中矢印Ｄ方向に回動されるとき、保持部材６４は係合片７９をロック部材６５のロック爪７８に係合させているので、弾性変位片７７が図１５中矢印Ｈ方向に弾性変位されていく。このとき、ロック部材６５の弾性変位部８２も図１５中矢印Ｊ方向に弾性変位されていく。弾性変位片７７が図１５中矢印Ｈ方向に弾性変位されると、この弾性変位片７７の先端側に設けた保持片７４も図１５中矢印Ｈ方向に変位していく。そして、ホルダ６が第２の位置から第１の位置に向かって回動される途中まで至ると、保持片７４が図１５中矢印Ｈ方向に大きく変位され、イジェクトレバー６２の係合片７５の保持片７４への係合が解除される。保持部材６４によるイジェクトレバー６２の保持が解除されると、イジェクトレバー６２は引っ張りバネ７３の付勢力を受けて図１３中矢印Ｍ方向に移動され、当接片６７がホルダ６に保持されている第１又は第２のディスクカートリッジ１００，２００を押圧しホルダ６から排出するようにカートリッジ挿脱口４０側に押し出す。
そして、第１又は第２のディスクカートリッジ１００，２００は、カートリッジ挿脱口４０を介してホルダ６の外方に突出された部分を把持し引き出すことにより、ホルダ６からの取り出しが行われる。
ホルダ６に保持された第１又は第２のディスクカートリッジ１００，２００は、イジェクトレバー６２によってホルダ６から排出される方向に移動されるとき、カートリッジ本体１０４，２０４とシャッタ１１０，２１０との相対移動が図られる。すなわち、シャッタ１１０，２１０は、各開口部１０８，１０９，２０８を閉塞する図１、図２及び図４中矢印Ｂ方向に移動される。
第１又は第２のディスクカートリッジ１００，２００がホルダ６から排出される際にも、挿入片６６が溝部１１５に挿入されているので、イジェクトレバー６２は確実に第１又は第２のディスクカートリッジ１００，２００をホルダ６から排出する方向に押圧することができる。
また、ホルダ６が第２の位置から第１の位置に向かって回動され、保持部材６４の係合片７９とロック爪７８との係合が解除されたとき、弾性変位片７７が急峻に図１４中矢印Ｈ方向に弾性復帰する場合がある。このとき、保持片７４がホルダ６に設けた規制片８１に当接することにより、ホルダ６の上方へ突出するようなことが規制され、且つ速やかに弾性変位片７７の振動が規制される。
産業上の利用可能性
上述したように、本発明にディスクカートリッジのローディング装置は、ホルダへのディスクカートリッジの挿入が完了した位置でイジェクトレバーを保持し、ホルダがディスクカートリッジのローディングを行った第２の位置からディスクカートリッジの挿入又は排出を行う第１の位置に移動するときにイジェクトレバーの保持を解除する保持機構を備えているので、ホルダの移動操作により関連してディスクカートリッジのホルダからの排出を行うことができるので、ディスクカートリッジのホルダからの確実な排出を行うことができる。さらに、ホルダとイジェクトレバーは、共通の保持機構によって保持及びロックされるので、機構が簡素化でき、装置自体の小型化を図ることができる。
【図１】
0003956395.tif 000002
【図２】
0003956395.tif 000003
【図３】
0003956395.tif 000004
【図４】
0003956395.tif 000005
【図５】
0003956395.tif 000006
【図６】
0003956395.tif 000007
【図７】
0003956395.tif 000008
【図８】
0003956395.tif 000009
【図９】
0003956395.tif 000010
【図１０】
0003956395.tif 000011
【図１１】
0003956395.tif 000012
【図１２】
0003956395.tif 000013
【図１３】
0003956395.tif 000014
【図１４】
0003956395.tif 000015
【図１５】
0003956395.tif 000016